(57)【要約】【課題】撮像した動画ファイルを、互換規格の画像ファイルを記録再生可能な複数の記録再生装置に対して、選択的に転送可能なカメラ装置およびデータ転送方法を提供する。【解決手段】この発明のカメラ装置は、アダプタ接続部に接続されることにより、カメラ装置の記録媒体に保持されている画像信号を、任意数の外部記録装置に、ＬＡＮを介して出力可能とするクレードルと接続された状態でクレードルを経由してカメラ装置と接続され、カメラ装置の記録媒体に保持されている画像信号が転送可能な任意数の外部記録装置を、モニタ部２２に表示可能である。【選択図】図６
2006311312.tif 000002
【特許請求の範囲】
【請求項１】
レンズを介して取り込まれた動画を画像信号に変換する光電変換素子と、
この光電変換素子から出力された画像信号を記録可能な記録媒体と、
前記光電変換素子から出力された前記画像信号を前記記録媒体が記録可能な信号形式に変換して前記記録媒体に記録させる画像信号処理部と、
この画像信号処理部から出力される画像を表示可能なモニタ部と、
前記記録媒体に保持されている前記画像信号を、前記記録媒体とは別に設けられる任意数の外部記録装置に供給可能な拡張接続部と、
を有するカメラ装置において、
前記カメラ装置の前記拡張接続部に対して着脱可能に形成され、前記拡張接続部と接続されることにより、前記画像信号処理部に保持されている前記画像信号を、前記任意数の外部記録装置にＬＡＮを介して出力可能とする拡張接続装置が前記拡張接続部に接続された状態で、前記拡張接続装置を介して前記カメラ装置と接続され、前記カメラ装置の前記記録媒体に保持されている前記画像信号が転送可能な前記任意数の外部記録装置を、前記モニタ部に表示可能であることを特徴とするカメラ装置。
【請求項２】
前記モニタ部には、前記拡張接続装置に接続され、前記拡張接続部を経由して接続されていることが検出された前記任意数の外部記録装置の種類に応じた識別マークまたは名称の少なくとも一方が表示可能であることを特徴とする請求項１記載のカメラ装置。
【請求項３】
前記モニタ部には、前記拡張接続装置に接続され、前記拡張接続部を経由して接続されていることが検出された前記任意数の外部記録装置のうちの選択された外部記録装置が、複数の記録媒体を含む場合に、その複数の記録媒体の種類に応じた識別マークまたは名称の少なくとも一方が表示可能であることを特徴とする請求項２記載のカメラ装置。
【請求項４】
レンズを介して取り込まれた動画を画像信号に変換する光電変換素子と、
この光電変換素子から出力された画像信号を記録可能な記録媒体と、
前記光電変換素子から出力された前記画像信号を前記記録媒体が記録可能な信号形式に変換して前記記録媒体に記録させる画像信号処理部と、
この画像信号処理部から出力される画像を表示可能なモニタ部と、
前記記録媒体に保持されている前記画像信号を、前記記録媒体とは別に設けられる任意数の外部記録装置に供給可能な拡張接続部と、
前記拡張接続部に対して着脱可能に形成され、前記拡張接続部と接続されることにより前記画像信号処理部に保持されている前記画像信号を前記任意数の外部記録装置に出力可能とする拡張接続装置が前記拡張接続部に接続された場合、前記拡張接続装置を介して接続される前記任意数の外部記録装置に対し、前記画像信号を、ネットワークを介して転送可能に接続するネットワークコントローラと、
前記拡張接続部に、前記拡張接続装置を経由し、ネットワークを介して、前記記録媒体に保持されている前記画像信号が転送可能に接続された前記任意数の外部記録装置を前記モニタ部に表示させる表示制御部と、
を有することを特徴とするカメラ装置。
【請求項５】
前記表示制御部は、前記拡張接続装置に接続され、前記拡張接続部を経由して接続されていることが検出された前記任意数の外部記録装置の種類に応じて、前記モニタ部に識別マークまたは名称の少なくとも一方を表示させることを特徴とする請求項４記載のカメラ装置。
【請求項６】
前記表示制御部は、前記拡張接続装置に接続され、前記拡張接続部を経由して接続されていることが検出された前記任意数の外部記録装置のうちの選択された外部記録装置が、複数の記録媒体を含む場合に、その複数の記録媒体種類に応じて、前記モニタ部に識別マークまたは名称の少なくとも一方を表示させることを特徴とする請求項５記載のカメラ装置。
【請求項７】
前記カメラ装置は、前記モニタ部に表示された前記拡張接続部に、前記拡張接続装置を経由して前記記録媒体に保持されている前記画像信号が転送可能に接続された前記任意数の外部記録装置を、前記モニタ部に表示された前記任意数の外部記録装置の種類に応じた識別マークの表示をスクロールさせることにより選択可能な制御信号を出力可能なジョグダイアルをさらに有することを特徴とする請求項２または３または５または６のいずれかに記載のカメラ装置。
【請求項８】
レンズを介して取り込まれた動画を画像信号に変換する光電変換素子と、この光電変換素子から出力された画像信号を記録可能な記録媒体と、前記光電変換素子から出力された前記画像信号を前記記録媒体が記録可能な信号形式に変換して前記記録媒体に記録させる画像信号処理部と、この画像信号処理部から出力される画像を表示可能なモニタ部と、前記記録媒体に保持されている前記画像信号を、前記記録媒体とは別に設けられる任意数の外部記録装置に供給可能な拡張接続部と、を有するカメラ装置が接続可能に形成され、
前記記録媒体とは別に設けられる任意数の外部記録装置のうちのＵＳＢ規格のインタフェースにより接続可能な外部記録装置が接続される第１の接続端と、
前記記録媒体とは別に設けられる任意数の外部記録装置のうちのネットワークを通じて接続可能な外部記録装置が接続される第２の接続端と、
前記第１および第２の接続端と前記カメラ装置との接続を切り替える切り替え装置と、を有することを特徴とするカメラ装置用クレードル。
【請求項９】
前記第２の接続端には、ルータを介して任意数の外部記録装置が接続可能であることを特徴とする請求項８記載のクレードル。
【請求項１０】
ネットワークを介して拡張接続部に拡張接続装置が接続された時点で、拡張接続装置に接続されている外部記録装置を検出し、
拡張接続装置に接続されている外部記録装置のうちの任意の１つの外部記録装置が選択された時点で、その選択された外部記録装置に含まれる記録媒体を検出し、
検出された記録媒体に対して、転送用に選択された動画データを、ネットワークを経由して転送することを特徴とするデータ転送方法。
【発明の詳細な説明】
【技術分野】
【０００１】
この発明は、電子カメラ装置等により撮像された動画の転送方法およびその転送を単独で実行可能なカメラ装置に関する。
【背景技術】
【０００２】
電子カメラ装置は、半導体メモリ（メモリカード）やハードディスク装置等の記録媒体に、動画および静止画を記録可能である。近年、ハードディスク装置の小型化および容量の増大に伴い、長時間かつ多くのタイトルの動画ならびに多くの枚数の静止画を記録（保存）可能なカメラ装置が実用化されている。
【０００３】
なお、ハードディスク装置の記憶容量は、静止画の枚数として示すと数１０００枚規模であり、動画の撮像時間として示すと数時間（タイトル数で数１００）程度、確保されている。
【０００４】
また、電子カメラ装置により撮像された動画および静止画は、パーソナルコンピュータや、互換性のある規格（フォーマット）の画像ファイルを記録し、あるいは再生する記録再生装置との間で、任意に転送可能である。
【０００５】
なお、無線ネットワークと接続可能な通信部を有し、無線ネットワークにより接続された別の撮像装置に保持されている静止画を選択して受信できる撮像装置が提案されている（例えば、特許文献１）。
【特許文献１】特開２００３−２３４９８７公報
【発明の開示】
【発明が解決しようとする課題】
【０００６】
しかしながら、特許文献１の提案には、静止画の取り扱いが記載されているが、動画の取り扱いは、言及されていない。また、同文献では、無線ネットワークに接続される接続対象が、互換性のある規格の画像ファイルを記録し、または再生する記録再生装置を含むことは確認できない。なお、別の撮像装置に保持されている静止画を選択して受信できることは示されているが、別の撮像装置に画像を記録可能であることは明示されていない。
【０００７】
特に、記録媒体としてハードディスク装置等の容量の大きな記憶媒体を有し、長時間の動画が保持可能な映像（動画）記録再生装置との間で動画を転送する方法、およびそれを可能とする構成についての記載は、みあたらない。
【０００８】
本発明の目的は、撮像した動画ファイルを、互換規格の画像ファイルを記録再生可能な複数の記録再生装置に対して選択的に転送可能なカメラ装置およびデータ転送方法を提供することである。
【課題を解決するための手段】
【０００９】
この発明は、上記問題点に基づきなされたもので、レンズを介して取り込まれた動画を画像信号に変換する光電変換素子と、この光電変換素子から出力された画像信号を記録可能な記録媒体と、前記光電変換素子から出力された前記画像信号を前記記録媒体が記録可能な信号形式に変換して前記記録媒体に記録させる画像信号処理部と、この画像信号処理部から出力される画像を表示可能なモニタ部と、前記記録媒体に保持されている前記画像信号を、前記記録媒体とは別に設けられる任意数の外部記録装置に供給可能な拡張接続部と、を有するカメラ装置において、前記カメラ装置の前記拡張接続部に対して着脱可能に形成され、前記拡張接続部と接続されることにより、前記画像信号処理部に保持されている前記画像信号を、前記任意数の外部記録装置にＬＡＮを介して出力可能とする拡張接続装置が前記拡張接続部に接続された状態で、前記拡張接続装置を介して前記カメラ装置と接続され、前記カメラ装置の前記記録媒体に保持されている前記画像信号が転送可能な前記任意数の外部記録装置を、前記モニタ部に表示可能であることを特徴とするカメラ装置、を提供するものである。
【発明の効果】
【００１０】
本発明によれば、ユーザにより撮像された動画や静止画は、ＬＡＮによりデータ転送が可能な任意の画像データ保持装置、例えばパーソナルコンピュータや、映像（動画）記録再生装置に、転送すべき画像（動画あるいは静止画）を撮像したカメラ装置のみにより、選択的に転送可能である。
【００１１】
従って、データ転送や再生時の利便性が向上される。例えば、撮像した画像、特に動画を、カメラ装置と離れた場所に設置されたテレビ受像機と接続されたハードディスク付き記録再生装置に転送したのち、テレビ受像機により（撮像した画像を）再生可能となる。また、例えばカメラ装置の記録容量が少なくなった場合に、ユーザが希望する画像データ保持装置に一時的に転送（退避）させる等も、カメラ装置のみにより容易に達成される。
【発明を実施するための最良の形態】
【００１２】
以下、図面を参照して、この発明の実施の形態について詳細に説明する。
【００１３】
図１（ａ）および図１（ｂ）は、本発明が適用可能な動画および静止画ならびに音声等が記録可能な電子カメラ装置の概略を示す。
【００１４】
図１（ａ）は、電子カメラ装置（撮影装置）１を撮影レンズ側から見た状態を示す。
【００１５】
電子カメラ装置１は、撮像レンズ１１、フラッシュ１２、（静止画撮影用）シャッターボタン１３およびリモコン受信部１４等を有する。電子カメラ装置１はまた、パーソナルコンピュータや、外部電源装置（充電器）等との接続に利用されるアダプタ接続部（接続端子）１５を有する。
【００１６】
図１（ｂ）は、電子カメラ装置１を、撮像レンズ１１と逆の側から見た状態を示す。
【００１７】
電子カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００１８】
また、電子カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７等が設けられている。なお、ＯＫ（決定）ボタン２７は、例えばジョグダイアル２６の回転中心に同軸（同心）状に位置される。
【００１９】
図２は、図１に示した電子カメラ装置のアダプタ接続部を介して電子カメラ装置に電源を供給するとともに、アダプタ接続部を経由して制御信号および画像データの転送を可能とするカメラ固定ユニット（クレードル）の概略を示す。
【００２０】
クレードル２０１は、画像情報記録装置、例えばパーソナルコンピュータやテレビ受像機と接続されたハードディスク付き記録再生装置等との間で画像データ（動画、静止画）および複数の画像データが所定の条件でまとめられたフォルダ（アルバム）をカメラ装置１のみで転送可能とするデータ転送装置として機能する。
【００２１】
クレードル２０１には、商用ラインにより供給されるＡＣ電圧を、カメラ装置１の動作に適した、例えばＤＣ５Ｖに変換するＡＣアダプタ２５１からＤＣ出力が供給される電源端子（コネクタ部）２０２、公衆向けネットワーク網として広く普及しているＬＡＮへの接続に利用されるＬＡＮ（Local Area Network）端子（コネクタ部）２０３、パーソナルコンピュータとのデータの転送に利用されるＵＳＢ（Universal Serial Bus）端子２０４およびアナログの音声（Audio）信号および映像（Video）信号を、例えばテレビ受像機に直接入力するために利用されるＡ／Ｖ出力（Out）端子（コネクタ部）２０５が設けられている。
【００２２】
それぞれの端子２０２〜２０５は、カメラ装置１のアダプタ接続部１５との間の電気的な接続が可能に、クレードル２０１内部の所定の位置に設けられたコンタクト部２１１と接続されている。
【００２３】
クレードル２０１にはまた、ＡＣアダプタ２５１が図示しない商用ラインと接続された状態でクレードル２０１にセットされた電子カメラ装置１へのＤＣ５Ｖの供給または遮断を設定可能なパワーボタン（電源スイッチ）２２１が設けられている。なお、パワーボタン２２１は、詳述しないがＬＥＤ素子が内蔵されたスイッチであり、押し込まれる（オンされる）ことにより、所定の色の光が出力されるとともにＡＣアダプタ２５１からのＤＣ５Ｖをカメラ装置１に供給し、もう一度押し込まれることにより、ＤＣ５Ｖを遮断し、光の出力もオフされる。
【００２４】
また、クレードル２０１には、ＬＡＮ端子２０３とＬＡＮケーブルを介して接続されるルータ（ハブ）への接続の切り替えに利用されるＬＡＮボタン（ＬＡＮスイッチ）２３１と、ＵＳＢ端子２０４とＵＳＢケーブルにより接続されるパーソナルコンピュータあるいは外部記憶装置（外付けＨＤＤ装置やＵＳＢメモリ等）への接続の切り替えに利用されるＵＳＢボタン（ＵＳＢスイッチ）２３２が設けられている。なお、ＬＡＮボタン２３１とＵＳＢボタン２３２は、いずれか一方がオン状態（押し込まれた状態）にある場合には、他方がオフ状態となる選択式スイッチである。また、詳述しないが、それぞれにはＬＥＤが内蔵されており、現在選択されている接続系（押し込まれている側）に対応するＬＥＤが点灯される。
【００２５】
図３は、図２に示したクレードル２０１にカメラ装置１を装着し、ＬＡＮ端子２０３に接続されたＬＡＮケーブルを介してルータ３０１とカメラ装置１とが接続された状態を、模式的に示している。
【００２６】
クレードル２０１を介してカメラ装置１が接続されたルータ３０１には、例えば第１の情報記録装置（ＨＤＤ付きＤＶＤレコーダ［１］、以下ＨＤＤＲ［１］と称する）３１１、第２の情報記録装置（ＨＤＤ付きＤＶＤレコーダ［２］、同ＨＤＤＲ［２］と称する）３２１、第３の情報記録装置（ＨＤＤ付きＤＶＤレコーダ［３］、同ＨＤＤＲ［３］と称する）３３１、第１のパーソナルコンピュータ（以下ＰＣ［１］と称する）３４１および第２のパーソナルコンピュータ（同ＰＣ［２］と称する）３５１が接続されているものとする。
【００２７】
ルータ３０１は、公衆ネットワーク網として広く普及しているＬＡＮにおいて、ルータ（ハブ）として機能するものであれば、ルータ３０１と相互に接続されるさまざまな記録再生装置（外付けＨＤＤ装置やＵＳＢメモリ等を含む）やパーソナルコンピュータと間の接続形態は、有線式であっても無線式であってもかまわない。なお、図３に示す例では、ＨＤＤＲ［３］（第３の情報記録装置）とＰＣ［２］（第２のパーソナルコンピュータ）が、無線により、ルータ３０１との間の画像データおよび制御信号の転送が可能であるとする。
【００２８】
図４は、図１に概要を示した電子カメラ装置１の制御ブロックの一例を示している。
【００２９】
撮像レンズ１１から取り込まれた被写体像は、例えばＣＣＤセンサである撮像素子３１の結像面に結像され、アナログ信号（撮像画像データ）に変換される。
【００３０】
ＣＣＤセンサ３１からのアナログ信号（撮像画像データ）は、ＣＰＵ（主制御回路）１１１により制御されるアナログ−デジタル（Ａ／Ｄ）変換部１０１によりデジタル信号に変換され、カメラ信号処理回路１０２に入力される。
【００３１】
カメラ信号処理回路１０２では、Ａ／Ｄ変換部１０１によりデジタル信号に変換された撮像画像データに、例えばガンマ補正、色信号分離、あるいはホワイトバランス調整等の処理が施される。
【００３２】
カメラ信号処理回路１０２から出力された撮像画像データ、すなわち撮像レンズ１１により取り込まれた記録対象である画像は、ビデオデコーダ（Video Decoder）１０７を介して液晶パネル駆動回路（LCD Driver）１０８に入力され、液晶パネル駆動回路１０８により、フレーム２１にマウントされているＬＣＤパネル（以下単にＬＣＤと呼称する）２２（図１（ｂ）参照）に、表示される。
【００３３】
カメラ信号処理回路１０２から出力された撮像画像データは、記録時においては、圧縮／伸長部１０３で圧縮された後、メモリ回路１０４を通じて、主記録媒体、例えばハードディスク装置（以下ＨＤＤと略称する）１０５または付随する取り出し可能な記録媒体、例えば不揮発性メモリであるメモリカード１０６に記録される。
【００３４】
なお、圧縮／伸長部１０３においては、静止画は、例えばＪＰＥＧ規格等の、動画（非静止画）は、ＭＰＥＧ規格等の、周知の圧縮方式により圧縮される。また、メモリカード１０６は、例えばＳＤカード（登録商標）や、mini−ＳＤ（登録商標）と呼ばれる半導体メモリが利用可能である。
【００３５】
ＨＤＤ１０５またはメモリカード１０６に既に記録されている画像を再生する際には、ＨＤＤ１０５あるいはメモリカード１０６から読み出された画像が圧縮／伸長部１０３において伸長され、メモリ回路１０４を通じてビデオデコーダ１０７に供給される。以下、ビデオデコーダ１０７に供給された画像データは、液晶パネル駆動回路１０８を介して、ＬＣＤ２２に表示される。
【００３６】
なお、ＨＤＤ１０５およびメモリカード１０６との間のデータ（圧縮画像）の受け渡しには、図示しないが、記録メディアインタフェースが用いられる。また、ＨＤＤ１０５に換えて、例えば光ディスクが用いられてもよいことはいうまでもない。もちろん、容量の大きなメモリカードを主記録媒体とすることも可能である。
【００３７】
ＨＤＤ１０５またはメモリカード１０６に記録されている静止画、もしくは動画の画像データは、アダプタ接続部１５と接続されたクレードル２０１（図２参照）を介して接続されるルータ３０１（図３参照）により、ＨＤＤＲ［１］３１１、ＨＤＤＲ［２］３２１、ＨＤＤＲ［３］３３１、ＰＣ［１］３４１およびＰＣ［２］３５１のいずれかに、選択的に、転送可能である。なお、外部機器、例えばＰＣ［１］３４１およびＰＣ［２］３５１や、図示しないＵＳＢメモリ等との間の転送には、カメラ装置１から見た状態で１対１となる接続においては、ＵＳＢを用いることも可能である。同様に、インタフェースとしては、周知のさまざまな規格、例えばＩＥＥＥ１３９４や、パラレルバスも利用可能である。
【００３８】
なお、任意のインタフェースとメモリ回路１０４の間には、インタフェースコントローラ１０９が介在される。また、ルータ３０１を用いたデータの転送には、ＬＡＮコントローラ１１０が用いられる。
【００３９】
次に、図１ないし図４に示したカメラ装置による画像データの転送について説明する。なお、以下に説明する転送方法は、代表例でありカメラ装置１の記録装置（ＨＤＤ１０５またはメモリカード１０６）に記録されている画像データが、以下に説明する方法により選択された記録媒体に転送（格納）可能であれば、その表現や、図面への表示形態に支配されるものではない。
【００４０】
図３により既に説明したように、クレードル２０１を介して電子カメラ装置１とルータ３０１とが接続されている状態で、クレードル２０１のＬＡＮボタン２３１がオンされることで、図５を用いて以下に説明する接続確認画面が液晶パネル（ＬＣＤ）２２に表示される。
【００４１】
図５に示す「接続確認画面」２２−５０１には、例えばカメラ装置１と現在接続されている記録装置、すなわち図３に示したルータ３０１と接続されている記録再生装置（ＨＤＤＲ）やＰＣ等のうち、現在接続状態にある（それ以前に接続先として設定された）装置が表示される。なお、ＬＣＤ２２には、予め決められた表示、例えば「ファイル選択」アイコン２２−５０２、「ドライブ切換」アイコン２２−５０３、「キャンセル」アイコン２２−５０４等も表示される。もちろん、図５に示す例は、一例であり、表示されるアイコンや表示パターン（割り付け）、あるいはアイコンと一体に表示される文字等は、任意に変更可能である。
【００４２】
なお、例えば「ファイル選択」アイコン２２−５０２は、ファイルの選択の入力を促すとともに、ＯＫボタン２７により特定されることで、表示されたモードを実行させるための、あるいは特定の入力指示に対応する制御信号を、ＣＰＵ１１１に、入力させることのできる表示マーク（ＧＵＩ＝Graphical User Interface）である。同様に、「ドライブ切換」アイコン２２−５０３は、ドライブ（機器）の選択の入力を促すとともにＯＫボタン２７により特定されることで、ドライブ（機器）選択画面を表示させるための制御信号に対応する指示を、ＣＰＵ１１１に入力可能な表示マーク（ＧＵＩ）である。また、「キャンセル」アイコン２２−５０４は、現在の選択状態をキャンセルして１つ前の画面あるいは待機画面に戻すための制御指示の入力を促すＧＵＩである。
【００４３】
この状態で、ＯＫボタン２７を介して、「ドライブ選択」アイコン２２−５０３が選択され、ＯＫボタン２７がオンされることで、実行信号が入力され、図６に一例を示すような「機器選択画面」２２−６０１が表示される（図５の「接続確認画面」から「機器選択画面」に表示が切り替えられる）。
【００４４】
図６に示す「機器選択画面」２２−６０１には、（カメラ装置１から見た状態で）現在画像データ（「画像ファイル（フォルダ）」や「アルバム（フォルダの管理単位）」を含む）を転送可能にルータ３０１に接続されている記録再生装置の名称（またはユーザが設定した識別名）が表示される「選択機器名表示部」２２−６０２、ジョグダイアル２６のＣＷ（時計回り）またはＣＣＷ（反時計回り）に回転されることにより（その回転方向に従って）連続的に表示が切り替えられるスクロールライン２２−６０３等が表示される。
【００４５】
なお、スクロールライン２２−６０３は、例えば、同時に３種類（３台）まで、図３に示したルータ３０１を介して接続されている記録再生装置の形態（タイプ）を示す識別マーク（表示）が表示可能に、第１ないし第３の表示領域２２−６０４〜２２−６０６が、表示される。また、スクロールライン２２−６０３の中央の表示領域すなわち第２の表示領域２２−６０５に表示される記録再生装置の名称が、ジョグダイアル２６の操作に連動して「選択機器名表示部」２２−６０２に表示される。
【００４６】
図６に示す表示例では、図３に示したルータ３０１に接続されているＨＤＤＲ［１］３１１，ＨＤＤＲ［２］３２１，ＨＤＤＲ［３］３３１，ＰＣ［１］３４１，ＰＣ［２］３５１のうちのＨＤＤＲ［２］３２１とＨＤＤＲ［３］３３１とＰＣ［１］３４１とに対応する表示（識別マーク）が、第１ないし第３の表示領域２２−６０４〜２２−６０６に、表示されている。
【００４７】
この状態で、ジョグダイアル２６が、例えばＣＷ方向に回転されると、第２の表示領域２２−６０５に表示されている識別マーク（表示）ＨＤＤＲ［３］の表示が、第３の表示領域２２−６０６に移動され、第２の表示領域２２−６０５には、識別マーク（表示）ＨＤＤＲ［２］が表示される。従って、第１の表示領域２２−６０４には、（新たに）識別マークＨＤＤＲ［１］が表示される。
【００４８】
一方、スクロールライン２２−６０３の第１ないし第３の表示領域２２−６０４〜２２−６０６に、ＨＤＤＲ［２］３２１，ＨＤＤＲ［３］３３１，ＰＣ［１］３４１のマークが表示されている状態で、ジョグダイアル２６が、例えばＣＣＷ方向に回転されると、第２の表示領域２２−６０５に表示されている識別マーク（表示）ＨＤＤＲ［３］の表示が第１の表示領域２２−６０４に移動され、第２の表示領域２２−６０５には、識別マークＰＣ［１］が表示される。従って、第３の表示領域２２−６０６には、（新たに）識別マークＰＣ［１］が表示される。
【００４９】
図６に示したスクロールライン２２−６０３に、３台（３機種）の記録再生装置を示す識別マークが表示されている状態で、ＯＫボタン２７がオンされることで、中央すなわち第２の表示領域２２−６０５に表示されている表示マークに対応する記録再生装置が選択される。このとき、スクロールライン２２−６０３の第２の表示領域は、選択されたことを報知可能に、例えば「反転表示」に切り替えられる。なお、その時点で、「選択機器名表示部」２２−６０２には、選択された記録再生装置の名称またはユーザが設定した識別名が表示される。
【００５０】
図６に示した手順に従って、機器（ドライブ）が選択されると、図７に一例を示すような「ドライブ選択画面」２２−７０１が表示される（図６の「機器選択画面」から「ドライブ選択画面」に表示が切り替えられる）。
【００５１】
図７に示す「ドライブ選択画面」２２−７０１には、（カメラ装置１から見た状態で）図６の機器選択により選択された記録再生装置内に設けられている記録媒体の名称（またはユーザが設定した識別名）が表示される「選択ドライブ（媒体）名表示部」２２−７０２、ジョグダイアル２６のＣＷ（時計回り）またはＣＣＷ（反時計回り）に回転されることにより（その回転方向に従って）連続的に表示が切り替えられるスクロールライン２２−７０３等が表示される。なお、記録媒体は、今日広く普及しているハードディスク（ＨＤＤ）付きＤＶＤレコーダ等に代表される記録容量の大きな映像記録装置においては、２以上のＨＤＤが設けられることも多く、またＤＶＤ規格の光ディスクや半導体メモリ（メモリカード）に対しても画像データを記録可能であることから、ユーザにより、予め記録媒体の特定（指定）が必要となる（図４に示す概略ブロックからも明らかなように、カメラ装置１本体においても、記録媒体としてＨＤＤ１０５とメモリカード１０６が選択可能である）。
【００５２】
図７に示す例では、スクロールライン２２−７０３は、図６を用いて先に説明した表示例と同様に、同時に３種類（３台）まで、現在選択されている記録再生装置に装着されている記録媒体の形態（タイプ）を示す表示（識別マーク）が表示可能に、第１ないし第３の表示領域２２−７０４〜２２−７０６が表示される。また、スクロールライン２２−７０３の中央の表示領域すなわち第２の表示領域２２−７０５に表示される記録再生装置の名称が、ジョグダイアル２６の操作に連動して「選択ドライブ（媒体）名表示部」２２−７０２に表示される。
【００５３】
以下、図６に示した選択画面において選択されたＨＤＤ付きＤＶＤレコーダがＨＤＤＲ［３］（図３に示したルータ３０１に接続されたＨＤＤＲ［３］３３１）が選択され、ＨＤＤＲ３に、第１および第２のハードディスクドライブ（以下、ＨＤＡ，ＨＤＢと示す）とＤＶＤ規格の光ディスク（図示せず）に情報（画像データ）を記録可能な光ディスクドライブ（以下ＤＶＤと示す）が用意されているとして、ドライブ選択の方法を説明する。
【００５４】
スクロールライン２２−７０３の第１ないし第３の表示領域２２−７０４〜２２−７０６には、ＨＤＡ，ＨＤＢ，ＤＶＤに対応する表示（識別マーク）が、それぞれ表示されている。
【００５５】
この状態で、ジョグダイアル２６がＣＷ方向に回転されると、この例では、選択可能なドライブ（記録媒体）が３台（３種類）であるからスクロールライン２２−７０３のそれぞれの表示領域に表示される識別マーク（表示）は、変化されず、第２の表示領域２２−７０５に表示されている識別マーク（表示）ＨＤＢの「反転表示」が解除され、第３の表示領域２２−７０６に表示されている識別マーク（表示）ＤＶＤが「反転表示」される。すなわち、見かけ上は、第２の表示領域２２−７０５に表示されている識別マークＨＤＢの「反転表示」が第３の表示領域２２−７０６に表示されている識別マークＤＶＤに移動される。
【００５６】
反対に、ジョグダイアル２６がＣＣＷ方向に回転されると、第２の表示領域２２−６０５に表示されている識別マーク（表示）ＨＤＢの「反転表示」が、第１の表示領域２２−７０４に表示されている識別マークＨＤＡに移動される。
【００５７】
以下、上述したジョグダイアル２６の操作によりスクロールライン２２−７０３に表示された任意の記録媒体の表示（識別マーク）が「反転表示」された状態でＯＫボタン２７がオンされることで、「反転表示」されているドライブ（記録媒体）がカメラ装置１から画像データが転送（記録）される記録媒体として特定（選択）される。この状態で、図５に示した「接続確認表示」２２−５０１が再び表示され、「ファイル選択」アイコン２２−５０２の表示がＯＫボタン２７により選択されて「反転表示」され、ＯＫボタン２７がオンされることで、任意の画像データ（「画像ファイル（フォルダ）」や「アルバム（フォルダの管理単位）」を含む）を、カメラ装置１から図５ないし図７に示した手順に従って選択された記録媒体に、転送（記録）できる。
【００５８】
次に、図５ないし図７に示した手順に従って選択された記録媒体に、カメラ装置１から画像データ（動画）を転送する手順の一例を、図８および図９を用いて詳細に説明する。なお、図８および図９を用いて以下に説明する転送方法は、一例であり、カメラ装置１の記録装置（ＨＤＤ１０５またはメモリカード１０６）に記録されている動画が図５ないし図７により説明した手順に従って選択された記録媒体に転送（格納）可能であれば、その表現や図面への表示形態に支配されるものではない。
【００５９】
ＯＫボタン２７により、図５に示した「ファイル選択」アイコン２２−５０２が選択され、ＯＫボタン２７がオンされることで、図８に示すように「動画選択画面」２２−８０１が表示される。
【００６０】
図８に示す「動画選択画面」２２−８０１には、図６または図７を用いて先に表示例に類似したスクロールライン２２−８０３、スクロールライン２２−８０３の第１ないし第３の表示領域２２−８０４〜２２−８０６、第１ないし第３の表示領域２２−８０４〜２２−８０６のうちの中央の第２の表示領域２２−８０５に表示されている画像データに付与されている名称（あるいはユーザが設定した識別名）が表示される「画像データ名表示部」２２−８０２等が表示される。なお、「画像データ名表示部」２２−８０２に表示されるべき名称（識別名）が設定されていない場合には、カメラ装置１のＯＳ（オペレーティングシステム）により予め決められた管理番号として、例えば「年月日」および同日中の「一連（シリアル）番号」あるいは、「撮影時刻」等が付与される。
【００６１】
また、スクロールライン２２−８０３の第１ないし第３の表示領域２２−８０４〜２２−８０６に表示されている画像データの表示（簡易再生またはサムネイル画像）には、合わせてチェックボックスが表示される。
【００６２】
この状態で、ユーザの希望する転送すべき画像データが表示されているチェックボックスに、ユーザにより「レ（チェックマーク）」が入れられた画像データが、先に選択された記録媒体に転送可能となる（ＯＫボタン２７オン）。
【００６３】
また、既にチェックボックスに「レ（チェックマーク）」が入れられている画像データに対してもう一度ＯＫボタン２７からオン信号が入力された場合には、チェックボックス内の「レ（チェックマーク）」が解除される。
【００６４】
なお、図８に示す「動画選択画面」２２−８０１にはまた、スクロールライン２２−８０３（第１ないし第３の表示領域２２−８０４〜２２−８０６）に加えて、転送すべき画像ファイルを特定するためのファイル選択および転送指示アイコン（ＧＵＩ）群２２−８０７が表示される。ファイル選択および転送指示アイコン群２２−８０７は、例えば『すべて選択』、『すべて解除』、『キャンセル』および『転送』等を含む。従って、カメラ装置１のＨＤＤ１０５あるいはメモリカード１０６に記録されている任意の「画像ファイル（フォルダ）」や「アルバム（フォルダの管理単位）」全体を転送する場合には、ファイル選択および転送指示アイコン群２２−８０７を利用することで、転送すべき画像データ（「画像ファイル（フォルダ）」や「アルバム（フォルダの管理単位）」を含む）を特定する作業（チェックマーク（レ）の入力）が簡略化される。
【００６５】
続いて、転送すべき（ユーザにより転送されようとしている）総ての画像データ（「画像ファイル（フォルダ）」や「アルバム（フォルダの管理単位）」を含む）が特定できた時点で、ＯＫボタン２７が操作されることで、図９に、画面２２−９０１として示すように、ファイル選択および転送指示アイコン群２２−９０７の『転送』が「反転表示」される。
【００６６】
以下、ＯＫボタン２７がオンされることで、図８に示した手順により特定された転送すべき画像データが、図５ないし図７に示した手順により先に選択された記録媒体に記録される。
【００６７】
このように、本発明のカメラ装置１によれば、クレードル２０１を介してＬＡＮに接続された任意の記録再生装置の記録媒体をカメラ装置１により特定して、カメラ装置１内に記憶されている画像データ（「画像ファイル（フォルダ）」や「アルバム（フォルダの管理単位）」を含む）を、カメラ装置の操作のみにより転送できる。なお、選択された記録再生装置が複数の記録媒体を含む場合には、その記録再生装置内の任意の記録媒体も指定可能である。
【００６８】
従って、データ転送や再生時の利便性が向上される。例えば、撮像した画像、特に動画を、カメラ装置と離れた場所に設置されたテレビ受像機と接続されたハードディスク付き記録再生装置に転送したのち、テレビ受像機により（撮像した画像を）再生可能となる。また、例えばカメラ装置の記録容量が少なくなった場合に、ユーザが希望する画像データ保持装置に一時的に転送（退避）させる等も、カメラ装置のみにより容易に達成される。
【００６９】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００７０】
【図１】この発明の実施の形態が適用可能な動画および静止画ならびに音声等が記録可能なカメラ装置の一例を示す概略図。
【図２】図１に示したカメラ装置と外部記録装置との接続に利用されるクレードルの一例を示す概略図。
【図３】図２に示したクレードルを経由してネットワークに接続された任意数の外部記録装置とカメラ装置との接続の一例を示す概略図。
【図４】図１に示したカメラ装置の制御ブロックの一例を説明する概略図。
【図５】図３に示した任意数の外部記録装置との接続をカメラ装置からみた状態でカメラ装置のモニタ部に表示される表示例（「接続確認画面」）の一例を示す概略図。
【図６】図３に示した任意数の外部記録装置との接続をカメラ装置からみた状態でカメラ装置のモニタ部に表示される表示例（「機器選択画面」）の一例を示す概略図。
【図７】図３に示した任意数の外部記録装置との接続をカメラ装置からみた状態でカメラ装置のモニタ部に表示される表示例（「ドライブ選択画面」）の一例を示す概略図。
【図８】図５ないし図７に示した手順に従って選択された記録媒体にカメラ装置から画像データ（動画）を転送する手順の表示例（「動画選択画面」）の一例を示す概略図。
【図９】図８に示した「動画選択画面」に引き続く表示例の一例を示す概略図。
【符号の説明】
【００７１】
１…カメラ装置、１１…レンズ、１１…アダプタ接続部（拡張接続部）、２２…ＬＣＤ（モニタ部）、２４…主電源スイッチ、２５…録画ボタン、２６…ジョグダイアル（設定選択部）、２７…決定ボタン（選択決定部）、３１…ＣＣＤセンサ（光電変換素子）、１０１…アナログ−デジタル変換部（画像信号処理部）、１０２…信号処理回路（画像信号処理部）、１０３…圧縮／伸長部（画像信号処理部）、１０４…メモリ回路（画像信号処理部）、１０５…ＨＤＤ（ハードディスク装置、記録媒体）、１０６…メモリカード（記録媒体）、１０９…ＵＳＢコントローラ、１１０…ＬＡＮ（ネットワーク）コントローラ（ネットワークコントローラ、表示制御部）、１１１…ＣＰＵ（画像信号処理部、ネットワークコントローラ、表示制御部）、２０１…クレードル（拡張接続装置）、２０２…電源端子、２０３…ＬＡＮ（Local Area Network）端子、２０４…ＵＳＢ（Universal Serial Bus）端子、２０５…Ａ／Ｖ出力端子、２３１…ＬＡＮボタン、２３２…ＵＳＢボタン、３０１…ルータ。
【図１】
2006311312.tif 000003
【図２】
2006311312.tif 000004
【図３】
2006311312.tif 000005
【図４】
2006311312.tif 000006
【図５】
2006311312.tif 000007
【図６】
2006311312.tif 000008
【図７】
2006311312.tif 000009
【図８】
2006311312.tif 000010
【図９】
2006311312.tif 000011